(57)【要約】 【課題】  自転車販売時の手続用ビデオ・ＣＤ・ＤＶＤ及びネットワークを介して手続を実施する方法を提供する。【解決手段】自転車販売店と自転車購入者が自転車の販売契約を交わした場合、（１）自転車の新購入者に自転車登録カードと取扱説明書兼保証書の交付、（２）正しい乗り方や取扱の説明、（３）ユーザーと保証書の登録、（４）所轄警察署への防犯登録、（５）自転車工業会（組合）への登録、（６）生命、傷害保険契約手続、（７）自転車の盗難、損害保険手続、（８）決済方法のクレジット・カードの番号入力、（９）決済課金方法等、（１０）の各手続をビデオ・CD・DVDに収録し、且つ自転車購入者がネットワークを介して保険会社のコンピュータのホームページにアクセスして自転車の傷害保険、盗難保険契約を締結する方法。【選択図】  図１
2005128900.tif 000002
【特許請求の範囲】
【請求項１】
自転車販売店と自転車購入者が自転車の販売契約を交わした場合に於いて
（１）自転車の新購入者に自転車登録カードと取扱説明書兼保証書の交付、
（２）正しい乗り方や取扱の説明、
（３）購入者と保証書の登録、
（４）所轄警察署への防犯登録、
（５）自転車工業会（組合）への登録、
（６）生命、傷害保険契約手続、
（７）自転車の盗難、損害保険手続、
（８)決済方法のクレジット・カードの番号入力、
（９）決済課金方法等、
（１０）の各手続をビデオに収録する。
【請求項２】
自転車販売店と自転車購入者が自転車の販売契約を交わした場合に於いて、
（１）自転車の新購入者に自転車登録カードと取扱説明書兼保証書の交付、
（２）正しい乗り方や取扱の説明、
（３）ユーザーと保証書の登録、
（４）所轄警察署への防犯登録、
（５）自転車工業会（組合）への登録、
（６）生命、傷害保険契約手続、
（７）自転車の盗難、損害保険手続、
（８）決済方法のクレジット・カードの番号入力、
（９）決済課金方法等、
（１０）の各手続をCDに登録する。
【請求項３】
自転車販売店と自転車購入者が自転車の販売契約を交わした場合に於いて、
（１）自転車の新購入者に自転車登録カードと取扱説明書兼保証書の交付、
（２）自転車の正しい乗り方や取扱の説明、
（３）ユーザーと保証書の登録、
（４）所轄警察署への防犯登録、
（５）自転車工業会（組合）への登録、
（６）生命、傷害保険契約手続、
（７）自転車の盗難、損害保険手続、
（８）決済方法のクレジット・カードの番号入力、
（９）決済課金方法等、
（１０）各手続をDVDに登録する。
【請求項４】
自転車販売者と自転車購入者が自転車の販売契約を交わした場合、自転車購入者がネットワークを介して保険会社のコンピュータのホームページにアクセスして自転車の傷害保険、盗難保険契約を締結する方法。
【請求項５】
自転車販売者と自転車購入者が自転車の販売契約を交わした場合、自転車購入者がネットワークを介して自転車メーカーのコンピュータのホームページにアクセスして自転車の宣伝・広告を閲覧し、所望の質問をし、自転車の型式、色彩、値段等の情報を収集し、アンケートに応答するする方法。
【請求項６】
所轄警察署、自転車工業会（組合）等に於いて所望情報をネットワークを介して収集する方法。
【請求項７】
自転車販売者が自転車を購入した場合、ビデオを見たり、CD、DVDを入れたコンピュ−タのディスプレイで自転車の正しい乗り方を習得する方法。
【発明の詳細な説明】
【技術分野】
【０００１】
この発明は、自転車販売時の手続用ビデオ・ＣＤ・ＤＶＤ及びネットワークを介して手続を実施する方法
に関し、更に詳しくは自転車購入者に新たに自転車を販売した際、自転車登録カードを交付し、正しい自転車の乗り方や取扱方法の説明、所轄警察署や自転車工業会（組合）への登録、障害や盗難保険契約の締結等の手続用ビデオ・ＣＤ・ＤＶＤ及び手続を実施する方法であり、所要に応じネットワークを介して自転車メーカーや保険会社のコンピュータのホームページの宣伝・広告にアクセスして所望手続を実施する方法に関する。
【背景技術】
【０００２】
工場で生産された自転車は、卸売商を介してスーパーストア等の量販店や町の自転車販売店に流通し、そこで販売される。
【０００３】
自転車購入者に新たに自転車を販売する場合、販売店は自転車購入者に自転車登録カードと自転車の取扱説明書兼保証書を手渡す仕組みとなっている。
【０００４】
具体的には、自転車メーカーは、１台の自転車毎にその自転車登録カードを3部作成し、自転車登録カードには、登録番号、車体番号、登録年月日、購入者の住所、TSマーク（赤、青）、購入者の氏名、電話番号、メーカー｛スポーツ車（サイクリング車・MTB）、ミニサイクル（折り畳み車）、軽快車、婦人車、実用車、幼児用車、特殊車、（タンデム車・三輪車）、その他｝、塗色｛赤（ピンク・エンジ）、橙（、オレンジ）、茶、黄（金）、緑（黄緑）、青（藍）・車体の刻印番号等を記載し（取扱説明書兼保証書に既に記載されている場合は別として）、押印してもらい、１部を販売記録とし、他の１部を自転車メーカーに送付し、更に残りの１部を自転車に添付し又は購入者にも１部を手渡して保管させているが、煩雑であり、自転車販売店を含む自転車業界の隘路となっている。
【発明の開示】
【発明が解決しようとする課題】
【０００５】
ある自転車メーカーの場合は、取扱説明書兼保証書に添付されたハガキが戻るので顧客情報が収集できるが、殆どの自転車メーカーや商社の場合は、ユーザー情報が自転車メーカーに戻って来ない。
【０００６】
一般的には取扱説明書兼保証書に、安全基準、自転車の乗り方等が記載されているが、
（１）殆どの取扱説明書兼保証書は、他の自転車メーカーのもののコピーである。
（２）一部の自転車メーカーのみが大人車、子供車、スポーツ車等と分類しているが、簡素な内容（PL法上の言い逃れ）であって実質的な取扱説明書兼保証書の機能を果たしてなく、煩雑である。
（３）そして取扱説明書兼保証書に掲載されたものは、平凡なイラストのみで自転車の実写の写真がないから、ユーザーにとっては不親切な表現であり、不便極まりない。
【課題を解決するための手段】
【０００７】
自転車購入者に新たに自転車を販売した際、自転車登録カードを交付し、正しい自転車の乗り方や取扱方法の説明、取扱説明書兼保証書の説明、所轄警察署や自転車工業会（組合）への登録、障害や盗難保険契約の締結等の手続用ビデオ・ＣＤ・ＤＶＤ及びネットワークを介して手続を実施する方法であり、所要に応じネットワークを介して自転車メーカーや保険会社のコンピュータのホームページの宣伝・広告にアクセスして所望手続を実施する方法に関する。
【０００８】
この発明の第１要旨は、自転車販売店と自転車購入者が自転車の販売契約を交わした場合、
（１）新たに自転車を購入したユーザーに自転車登録カードと取扱説明書兼保証書とを交付、
（２）自転車の正しい乗り方等や取扱の説明、
（３）ユーザーと保証書の登録、
（４）所轄警察署への防犯登録、
（５）自転車工業会（組合）への登録、
（６）生命、傷害保険契約手続、
（７）自転車の盗難、損害保険手続、
（８）決済方法のクレジット・カードの番号入力、
（９）決済課金方法等、
（１０）各手続をビデオに収録する。
【０００９】
この発明の第２要旨は、自転車販売店と自転車購入者が自転車の販売契約を交わした場合、
（１）新たに自転車を購入したユーザーに自転車登録カードと取扱説明書兼保証書とを交付、
（２）自転車の正しい乗り方等や取扱の説明、
（３）ユーザーと保証書の登録、
（４）所轄警察署への防犯登録、
（５）自転車工業会（組合）への登録、
（６）生命、傷害保険契約手続、
（７）自転車の盗難、損害保険手続、
（８）決済方法のクレジット・カードの番号入力、
（９）決済課金方法等、
（１０）各手続をCDに登録する。
【００１０】
この発明の第３要旨は、自転車販売店と自転車購入者が自転車の販売契約を交わした場合、
（１）新たに自転車を購入したユーザーに自転車登録カードと取扱説明書兼保証書とを交付、
（２）自転車の正しい乗り方等や取扱の説明、
（３）ユーザーと保証書の登録、
（４）所轄警察署への防犯登録、
（５）自転車工業会（組合）への登録、
（６）生命、傷害保険契約手続、
（７）自転車の盗難、損害保険手続、
（８）決済方法のクレジット・カードの番号入力、
（９）決済課金方法等、
（１０）各手続をDVDに登録する。
【００１１】
この発明の第４要旨は、自転車販売者と自転車購入者が自転車の販売契約を交わした場合、自転車購入者がネットワークを介して保険会社のコンピュータのホームページにアクセスして自転車の傷害保険、盗難保険契約を締結する方法である。
【００１２】
この発明の第５要旨は、自転車販売者と自転車購入者が自転車の販売契約を交わした場合、自転車購入者がネットワークを介して自転車メーカーのコンピュータのホームページにアクセスして自転車の宣伝・広告を閲覧し、所望の質問をし、自転車の型式、色彩、値段等の情報を収集し、アンケートに応答するする方法である。
【００１３】
この発明の第６要旨は、所轄警察署、自転車工業会（組合）等に於いて所望情報をネットワークを介して収集する方法である。
【００１４】
この発明の第７要旨は、自転車販売者が自転車を購入した場合、ビデオを見たり、CD、DVDを入れたコンピュ−タのディスプレイで自転車の正しい乗り方を見る事が出来る方法である。
【発明の効果】
【００１５】
（１）従って、この発明によれば、自転車販売店と新たに自転車購入者が自転車の販売契約を交わした場合、自転車販売店が自転車購入者に自転車登録カードと取扱説明書兼保証書とを交付し、自転車の正しい乗り方等や取扱の説明、ユーザーと保証書の登録、所轄警察署への防犯登録、自転車工業会（組合）への登録、保険契約手続、自転車の傷害保険の申込、決済方法のクレジット・カードの番号入力、）決済課金方法等、各手続をビデオに収録、ＣＤ、DVDに登録するので、取扱説明書兼保証書を交付する場合、正しい使用方法の説明、所轄警察署や自転車工業会（組合）への登録、生命、障害、自転車の盗難、損害保険契約の締結等の各手続をビデオで見たり、ＣＤ・ＤＶＤをコンピュータに入れて起動するだけで、前述の各手続が正確且つ容易に実施できるので従来の手続が格段に改善される。
【００１６】
（２）自転車購入者がビデオ・ＣＤ・DVDを見たり、又はコンピュータのディスプレイ上で自転車の正しい乗り方を見ることができる。
【００１７】
（３）又、所要に応じ、ネットワークを介して保険会社のコンピュータのホームページにアクセスして障害や盗難保険契約の締結等の各手続が実施可能となる。
【００１８】
（４）更に、自転車購入者が自転車メーカーのコンピュータのホームページの宣伝・広告にアクセスし、所望の質問をしたり、ＰＲを閲覧可能となり、例えば自転車の型式、色彩、値段等の情報が得られ、アンケートに応答したりして所要情報が得られる。
【００１９】
加えて、ユーザーに交付される取扱説明書兼保証書には、自転車の乗り方等や取扱の説明、ユーザーと保証書の登録、警察署への防犯登録、生命、傷害保険契約手続、自転車の盗難、損害保険手続、決済方法のクレジット・カードの番号入力、決済課金方法等の手続をビデオ・ＣＤ・DVD に登録したので、テレビやコンピュータ・ネットワークを使用する環境にない場合でも、これら手続を容易に実施する可能となる。
【００２０】
自転車販売店がユーザーに取扱説明書兼保証書を交付して前述の登録をする場合、新たに自転車を購入したユーザーのため前述のユーザーの登録が即時に出来、自転車販売店やユーザー情報が自転車メーカーにフィードバックされる。
【００２１】
自転車販売店の登録の手間が省けるので時間が短縮出来る。
【００２２】
所轄警察署、自転車工業会（組合）等における集計が容易となる。
【発明を実施するための最良の形態】
【００２３】
自転車販売店が自転車購入者に自転車登録カードと取扱説明書兼保証書とを交付し、自転車の正しい乗り方等や取扱の説明、ユーザーと保証書の登録、所轄警察署への防犯登録、自転車工業会（組合）への登録、保険契約手続、自転車の傷害保険の申込、決済方法のクレジット・カードの番号入力、決済課金方法等、各手続をビデオに収録、ＣＤ、DVDに登録するので、正しい使用方法の説明、所轄警察署や自転車工業会（組合）への登録、生命、障害、自転車の盗難、損害保険契約の締結等の各手続をビデオで見たり、ＣＤ・ＤＶＤをコンピュータに入れて起動するだけで、前述の各手続が正確且つ容易に実施できるので従来の手続が格段に改善される。
【実施例】
【００２４】
図1は、この発明に係る請求項１記載の発明の自転車販売時の手続用ビデオ・ＣＤ・ＤＶＤ及びネットワークを介して手続を実施する方法の概略図である。有線・無線通信網ネットワーク１０に保険会社１２、情報管理サーバ１4、自転車メーカー16、警察署18、自転車工業会）20、自転車販売店22、自転車購入者（ユーザー）24を夫々接続可能とする。
【００２５】
図２は、請求項１記載の発明の各手続をビデオに収録するフローチャートである。即ち、自転車購入者に新たに自転車を販売した際、（１）自転車販売店２２が新たに自転車を購入したユーザー２４に自転車登録カードと取扱説明書兼保証書とを交付、（２）自転車の正しい乗り方等や取扱の説明、（３）ユーザー２４と保証書の登録、（４）所轄警察署１８への防犯登録、（５）自転車工業会（組合）２０への登録、（６）保険会社１２との生命、傷害保険契約手続、（７）自転車の盗難、損害保険手続、自己の保険契約手続、（８）決済方法のクレジット・カードの番号入力、（９）決済課金方法等、（１０）各手続をビデオに収録する。
【００２６】
図３は、請求項２記載の発明の各手続をCDに収録するフローチャートである。即ち、自転車購入者２４に新たに自転車を販売した際、（１）新たに自転車を購入したユーザー２４に自転車登録カードと取扱説明書兼保証書とを交付、（２）自転車の正しい乗り方等や取扱の説明、（３）ユーザー２４と保証書の登録、（４）所轄警察署１８への防犯登録、（５）自転車工業会（組合）２０への登録、（６）保険会社１２との生命、傷害保険契約手続、（７）自転車の盗難、損害保険手続、（８）決済方法のクレジット・カードの番号入力、（９）決済課金方法等、（１０）各手続をCDに登録する。
【００２７】
図４は、請求項３記載の発明の各手続をDVDに収録するフローチャートである。即ち、自転車購入者に新たに自転車を販売した際、（１）新たに自転車を購入したユーザー２４に自転車登録カードと取扱説明書兼保証書とを交付、（２）自転車の正しい乗り方等や取扱の説明、（３）ユーザー２４と保証書の登録、（４）所轄警察署１８への防犯登録、（５）自転車工業会（組合）２０への登録、（６）保険会社１２との生命、傷害保険契約手続、（７）自転車の盗難、損害保険手続、（８）決済方法のクレジット・カードの番号入力、（９）決済課金方法等、（１０）各手続をDVDに登録する。
【００２８】
これら実施例に於いて、自転車販売者２２と自転車購入者２４が自転車の販売契約を交わした場合、自転車購入者２４が自転車購入者であるユーザー２４のパソコンを有線・無線通信網ネットワーク１０を介して保険会社１２のコンピュータのホームページにアクセスして生命、傷害保険契約手続、（７）自転車の盗難、損害保険契約を締結する。
【００２９】
この発明の第５要旨に於いては、自転車販売者２２と自転車購入者２４が自転車の販売契約を交わした場合、自転車購入者２４が有線・無線通信網ネットワーク１０を介して自転車メーカー１６のコンピュータのホームページにアクセスして自転車の宣伝・広告を閲覧し、所望の質問をし、自転車の型式、色彩、値段等の情報を収集し、アンケートに応答する。
【００３０】
この発明の第６要旨に於いては、所轄警察署１８、自転車工業会（組合）２０等に於いて所望情報を有線・無線通信網ネットワーク１０を介して収集する方法である。
【００３１】
この発明の第６要旨に於いては、所轄警察署、自転車工業会（組合）等に於いて所望情報を有線・無線通信網ネットワーク１０を介して収集する。
【００３２】
この発明の第７要旨に於いては、自転車販売者が自転車を購入した場合、ビデオを見、CD、DVDを入れたコンピュ−タのディスプレイで自転車の正しい乗り方を見る事が出来る。
【図面の簡単な説明】
【００３３】
【図１】この発明に係る発明の自転車販売時の手続用ビデオ・ＣＤ・ＤＶＤ及びネットワークを介して手続を実施する方法の概略図である。
【図２】この発明に係る請求項１記載の発明のフローチャートである。
【図３】この発明に係る請求項２記載の発明のフローチャートである。
【図４】この発明に係る請求項３記載の発明のフローチャートである。
【符号の説明】
【００３４】
１０    有線・無線通信網ネットワーク；
１２    保険会社；
１４    情報管理サーバ；
１６    自転車メーカー；
１８    警察署；
２０    自転車工業会（組合）；
２２    自転車販売店；
２４    自転車購入者（ユーザー）。
【図１】
2005128900.tif 000003
【図２】
2005128900.tif 000004
【図３】
2005128900.tif 000005
【図４】
2005128900.tif 000006